(57)【要約】      （修正有）【課題】複数言語でのアナウンスを、エレベータの運行効率を下げずに短時間で、かつ、各言語の利用者が聞き取り易いように行うことができるエレベータの音声案内装置を提供すること。【解決手段】音声案内装置１は、エレベータの乗場又はかご室内に設けられた音声出力部２０を制御して、音声出力部に複数言語によるアナウンスを同時に行わせる制御部１１を備え、制御部１１は、複数言語によるアナウンスを互いに使用周波数帯が異なる音声で行うように音声出力部２０を制御する。【選択図】図１
2019151447.tif 000002
【特許請求の範囲】
【請求項１】
エレベータの乗場又はかご室内に設けられた音声出力部を制御して、前記音声出力部に複数言語によるアナウンスを同時に行わせる制御部を備え、
前記制御部は、前記複数言語によるアナウンスを互いに使用周波数帯が異なる音声で行うように前記音声出力部を制御するエレベータの音声案内装置。
【請求項２】
エレベータの乗場又はかご室内に設けられた音声出力部を制御して、前記音声出力部に複数言語によるアナウンスを同時に行わせる制御部を備え、
前記制御部は、前記複数言語によるアナウンスを互いに性別、年齢および声色の少なくとも１つが異なる音声で行うように前記音声出力部を制御するエレベータの音声案内装置。
【請求項３】
前記音声出力部は、互いに指向性が異なる複数のスピーカを有し、
前記制御部は、前記複数言語のうちの互いに異なる言語によるアナウンスを行うように前記複数のスピーカを制御する請求項１又は２に記載のエレベータの音声案内装置。
【請求項４】
前記音声出力部は、互いに指向性が異なる複数のスピーカを有し、
前記制御部は、前記複数言語によるアナウンスの音声として、使用周波数帯、性別、年齢および声色の少なくとも１つが最も干渉しない組み合わせを選定し、選定された組合せの音声によるアナウンスを行うように前記複数のスピーカを制御する請求項１乃至３のいずれか１項に記載のエレベータの音声案内装置。
【請求項５】
前記音声出力部は、指向性を変更可能なスピーカを有し、
前記制御部は、利用者の特徴を示す特徴情報と前記利用者の言語とが対応付けて登録されたデータベースに基づいて、前記乗場又は前記かご室内に設置されたカメラで検出された利用者が前記データベースに登録されているか否かを判定し、登録されている場合には、前記検出された利用者の言語によるアナウンスを前記検出された利用者の位置に向けた指向性で行うように前記スピーカを制御する請求項１乃至３のいずれか１項に記載のエレベータの音声案内装置。
【発明の詳細な説明】
【技術分野】
【０００１】
本発明による実施形態は、エレベータの音声案内装置に関する。
【背景技術】
【０００２】
昨今、グローバル化およびユニバーサル対応が求められる中で、エレベータにおいては、インジケータの多言語表示や外国語音声アナウンスが採用されるようになった。しかし、アナウンスでは、音声案内時間と扉開閉時間等との制約上、日本語および英語など２言語程度までの案内がエレベータ運行効率上限界である。
【０００３】
今後、オリンピックなどに向けてより多様な言語対応が求められる中で、エレベータの運行効率を下げないようなるべく短い時間で複数言語によるアナウンスを行うことが求められる。
【０００４】
しかしながら、複数言語による音声をそのまま同時出力すると、利用者が内容を聞き取れない可能性がある。
【先行技術文献】
【特許文献】
【０００５】
【特許文献１】特開２００７−１８６３２２号公報
【発明の概要】
【発明が解決しようとする課題】
【０００６】
本実施の形態は、このような点を考慮してなされたものであり、複数言語でのアナウンスを、エレベータの運行効率を下げずに短時間で、かつ、各言語の利用者が聞き取り易いように行うことができるエレベータの音声案内装置を提供することを目的とする。
【課題を解決するための手段】
【０００７】
本実施形態による音声案内装置は、音声出力部と、音声案内装置とを備える。音声出力部は、エレベータの乗場又はかご室内に設けられている。制御部は、複数言語によるアナウンスを同時に行うように音声出力部を制御する。制御部は、複数言語によるアナウンスを互いに使用周波数帯が異なる音声で行うように音声出力部を制御する。
【図面の簡単な説明】
【０００８】
【図１】第１の実施形態による音声案内装置を示す模式図である。
【図２】第１の実施形態による音声案内装置の動作例を説明するためのグラフである。
【図３】第１の実施形態の第１の変形例による音声案内装置を示す模式図である。
【図４】第１の実施形態の第２の変形例による音声案内装置を示す模式図である。
【図５】第３の実施形態による音声案内装置の動作例を示す模式図である。
【図６】第３の実施形態の変形例による音声案内装置の動作例を模式図である。
【図７】第４の実施形態による音声案内装置の動作例を示す模式図である。
【図８】第５の実施形態による音声案内装置を示す模式図である。
【図９】第５の実施形態の変形例による音声案内装置を示す模式図である。
【発明を実施するための形態】
【０００９】
以下、図面を参照して本発明に係る実施形態を説明する。本実施形態は、本発明を限定するものではない。また、実施形態で参照する図面において、同一部分または同様な機能を有する部分には同一の符号または類似の符号を付し、その繰り返しの説明は省略する。
【００１０】
（第１の実施形態）
以下、第１の実施形態によるエレベータの音声案内装置について説明する。図１は、第１の実施形態によるエレベータの音声案内装置1を示す模式図である。図１に示すように、音声案内装置1は、エレベータ10に搭載されており、エレベータ10の利用者2に音声アナウンスを行うために用いることができる。
【００１１】
図示されている例において、エレベータ10は、音声案内装置1と、音声出力部20と、かご3とを備える。また、図示されている構成以外にも、エレベータ10は、最下階の乗場の下方から最上階の乗場の上方まで延びる昇降路の上端近傍位置に設置された巻上機と、巻上機に掛け渡され、一端にかご3を吊り下げたロープと、ロープの他端に吊り下げられた釣合い重りとを備える。また、エレベータ10は、巻上機を制御することでかご3の昇降動作を制御するエレベータ制御装置すなわち制御盤と、かごドア31の戸開閉を制御するかごドア駆動装置とを備える。音声案内装置1は、エレベータ制御装置に組み込まれていてもよい。
【００１２】
音声案内装置1は、制御部11を備える。制御部11は、かご室32内に設けられた音声出力部20を制御して、音声出力部20に複数言語による音声アナウンスを同時に行わせる。
【００１３】
図１の例において、音声出力部20は、かご室32内のかごドア31側の左右の隅部に配置された２つのスピーカ21,22で構成されている。音声出力部20を構成するスピーカの個数およびその配置位置の具体的な態様は、図１の態様に限定されない。スピーカ21,22は、図１において矢印で示す指向性を有するものであってもよいが、第１の実施形態では、スピーカ21,22の指向性の有無は限定されない。
【００１４】
音声アナウンスに用いられる複数言語の具体的な態様も特に限定されず、例えば、日本語、英語、中国語、韓国語などの言語であってもよい。
【００１５】
複数言語による音声アナウンスを同時に行うとは、複数言語での音声アナウンスを少なくとも部分的に時間が重なるように行う意味である。したがって、複数言語による音声アナウンスを、同時に開始して異なる終了時刻に終了する場合、異なる開始時刻に開始して同時に終了する場合、同時に開始して同時に終了する場合、および、異なる開始時刻に開始して異なる終了時刻に終了するが、複数言語のうちの最も遅い開始時刻を複数言語のうちの最も早い終了時刻より前にする場合、のいずれも本開示の範囲内である。
【００１６】
制御部11は、複数言語による音声アナウンスを互いに使用周波数帯が異なる音声で行うように音声出力部20を制御する。
【００１７】
図１の例において、制御部11は、２つのスピーカ21,22のそれぞれに対応するように２つ設けられていてもよい。すなわち、スピーカ21,22毎に異なる音声アナウンスシステムが設けられていてもよい。この場合、２つの制御部11は、対応するスピーカ21,22に対して互いに異なる言語の音声アナウンスデータを独立して出力することで、２つのスピーカ21,22を通じて２言語による音声アナウンスを行わせればよい。ただし、この場合は、２言語による音声アナウンスが同時に行われるように、２つの制御部11同士の間でスピーカ21,22への各言語の音声アナウンスデータの出力タイミングを予め調整しておけばよい。
【００１８】
または、図１の例において、制御部11は、スピーカ21,22に兼用の単一の構成であってもよい。この場合、制御部11は、２言語の音声アナウンスデータが混成された混成データを、ミキサで言語毎の音声アナウンスデータに周波数分離し、周波数分離された２言語の音声アナウンスデータのそれぞれをスピーカ21,22に出力することで、スピーカ21,22に２言語の音声アナウンスを同時に行わせてもよい。あるいは、制御部11は、一例として、２言語のモノラル音声による音声アナウンスデータをＬＲのステレオ音声に変換し、ステレオ音声に変換された音声アナウンスデータをスピーカ21,22に出力することで、スピーカ21,22に音声アナウンスを行わせてもよい。また、後述する図３に示すように、スピーカが３つ以上ある場合には、サラウンド音声とすることも可能である。
【００１９】
以下、このように構成された音声案内装置1の動作例について説明する。
【００２０】
先ず、制御部11は、音声アナウンスのトリガを検知する（ステップＳ１）。制御部11は、例えば、到着階への到着や行先階ボタンの押圧などの予め設定されたエレベータ10の動作状況を、音声アナウンスのトリガとして検知してもよい。または、制御部11は、エレベータ10の動作状況に応じてエレベータ制御装置が制御部11に向けて出力した音声アナウンスの指令を、トリガとして検知してもよい。
【００２１】
音声アナウンスのトリガを検知した後、制御部11は、音声アナウンスのメッセージの種類を選択する（ステップＳ２）。例えば、制御部11は、予めエレベータ10の動作状況に対応付けて制御部11のメモリに記憶された音声アナウンスのメッセージの種類を選択してもよい。音声案内のメッセージの種類は、例えば、到着階を知らせる階床案内、昇／降の方向を知らせる方向案内、ドアの閉扉を知らせる戸閉案内、および非常時の自動音声案内等であってもよい。
【００２２】
音声アナウンスのメッセージの種類を選択した後、制御部11は、選択された種類のメッセージを、使用周波数帯が異なる複数言語で同時に音声アナウンスするように音声出力部20を制御する（ステップＳ３）。例えば、制御部11は、予め音声アナウンスのメッセージの種類に対応付けて制御部11のメモリに記憶された複数言語の音声アナウンスデータを音声出力部20に同時に出力することで、音声出力部20に複数言語での音声アナウンスを同時に行わせてもよい。
【００２３】
ここで、図２は、第１の実施形態によるエレベータの音声案内装置1の動作例を説明するためのグラフである。図２には、言語ごとの主な周波数帯域すなわち使用周波数帯が示されている。図２に示すように、各国の言語Ａ〜Ｄは、固有の周波数特性を有しており、主な周波数帯域が異なる。例えば、言語Ａと言語Ｂは、主な周波数帯域が重ならない。制御部11は、このような言語Ａと言語Ｂとを、使用周波数帯が異なる複数言語として用いてもよい。
【００２４】
第１の実施形態によれば、複数言語による音声アナウンスを互いに使用周波数帯が異なる音声で同時に行うことで、複数言語での音声アナウンスを、エレベータの運行効率を下げずに短時間で、かつ、各言語の利用者2が聞き取り易いように行うことができる。
【００２５】
また、階床案内や方向案内のような通常時の自動音声案内以外にも、非常時の自動音声案内を複数言語で同時に行うことで、外国語での案内中の不安感を回避することができる。
【００２６】
（第１の変形例）
図３は、第１の実施形態の第１の変形例による音声案内装置1を示す模式図である。図１では、音声出力部20が２つのスピーカ21,22で構成された音声案内装置1の例について説明した。これに対して、図３に示すように、音声出力部20は、かご室32内の四隅に配置された４つのスピーカ21〜24で構成されていてもよい。
【００２７】
図３の例によれば、４つのスピーカ21〜24を用いることで、かご室32内における利用者2の位置によらず利用者2に更に聞き取り易い音声アナウンスを行うことができる。
【００２８】
（第２の変形例）
図４は、第１の実施形態の第２の変形例による音声案内装置1を示す模式図である。図１では、かご室32内に設けられた音声出力部20を制御して、音声出力部20に複数言語による音声アナウンスを同時に行わせる音声案内装置1の例について説明した。
【００２９】
これに対して、図４の例において、制御部11は、かご室32内に設けられた音声出力部20Aを制御して、音声出力部20Aに複数言語による音声アナウンスを同時に行わせ、なおかつ、エレベータ10の乗場4に設けられた音声出力部20Bを制御して、音声出力部20Bに複数言語による音声アナウンスを同時に行わせる。
【００３０】
図４の例において、乗場4に設けられた音声出力部20Bは、複数のスピーカ23,24で構成されている。スピーカ23,24は、例えば、乗場ボタンの近傍や乗場扉の近傍に配置されていてもよい。
【００３１】
図４の例によれば、かご室32内の利用者2だけでなく、乗場4の利用者2に対しても、複数言語で聞き取り易い音声アナウンスを行うことができる。
【００３２】
なお、かご室32内の音声出力部20Aは、かごドア31が戸開した際に乗場4の利用者2に向けて音声アナウンスを行ってもよい。この場合、乗場4の音声出力部20Bを省略することができる。すなわち、乗場4に向けたアナウンス出力は、乗場4の音声出力部20Bから行う場合と、かご室32内の音声出力部20Aから行う場合の２パターンあるが、かご室32内の音声出力部20Aから行う方が、各階乗場4にスピーカをつける必要がないため簡単である。
【００３３】
（第２の実施形態）
次に、複数言語による音声アナウンスを互いに性別、年齢および声色（すなわち、声質）の少なくとも１つを異ならせて行う第２の実施形態について説明する。
【００３４】
第１の実施形態では、制御部11が、複数言語による音声アナウンスを互いに使用周波数帯が異なる音声で同時に行うように音声出力部20を制御する例について説明した。
【００３５】
これに対して、第２の実施形態において、制御部11は、複数言語による音声アナウンスを互いに性別、年齢および声色の少なくとも１つが異なる音声で行うように音声出力部20を制御する。
【００３６】
以下、このように構成された第２の実施形態による音声案内装置1の動作例について説明する。
【００３７】
制御部11は、音声アナウンスのメッセージの種類を選択した後、複数言語でのアナウンス音声として、言語間で性別、年齢および声色の少なくとも１つが異なる音声を選択する（ステップＳ４）。
【００３８】
このような言語間で性別、年齢、音色が異なる音声の選択は、製造段階において制御部11のメモリに記憶された言語間で性別、年齢、音色が異なる音声案内データをそのまま読み出すことで行ってもよく、または、制御部11のメモリに記憶された音声案内データを、性別、年齢、音色が互いに異なるように調整すなわち加工することで行ってもよい。
【００３９】
例えば、制御部11は、図２に示した周波数帯域が重なる言語Ｂと言語Ｃとの双方を複数言語として用いる場合、言語Ｂについては、言語Ｃの周波数帯域と重ならないように女性に相当する高周波数帯域の音声を選択し、言語Ｃについては、言語Ｂの周波数帯域と重ならないように男性に相当する低周波数帯域の音声を選択してもよい。
【００４０】
複数言語でのアナウンス音声を選択した後、制御部11は、選択された種類のメッセージを、選択された性別、年齢、音色の音声を用いて複数言語で同時に音声アナウンスするように音声出力部20を制御する（ステップＳ３１）。
【００４１】
第２の実施形態によれば、言語毎に性別、年齢および声色の少なくとも１つを異ならせた音声アナウンスを同時に行うことで、複数言語でのアナウンスを、エレベータの運行効率を下げずに短時間で、かつ、各言語の利用者2が聞き取り易いように行うことができる。
【００４２】
（第３の実施形態）
次に、複数言語による音声アナウンスを互いに指向性が異なる複数のスピーカによって同時に行う第３の実施形態について説明する。
【００４３】
図１では、音声出力部20が複数のスピーカ21,22で構成された音声案内装置1の例について説明した。
【００４４】
第２の実施形態では、音声出力部20を構成する複数のスピーカ21,22に、予め固定された互いに異なる指向性が設定されている。指向性を有するスピーカ21,22の具体的な態様については特に限定されない。例えば、スピーカ21,22は、原音を超音波で変調して出力するパラメトリックスピーカなどであってもよい。
【００４５】
制御部11は、複数言語のうちの互いに異なる言語による音声アナウンスを同時に行うように、複数のスピーカ21,22を制御する。
【００４６】
具体的には、制御部11は、音声アナウンスのメッセージの種類を選択した後、選択された種類のメッセージを、スピーカ21,22毎に言語が異なるように設定された複数言語で同時に音声アナウンスするように各スピーカ21,22を制御する（ステップＳ３２）。
【００４７】
このとき、各スピーカ21,22による音声アナウンスは、第１の実施形態で説明したように、使用周波数帯が異なる言語で行ってもよいし、または、第２の実施形態で説明したように、言語間で性別、年齢および声色の少なくとも１つが異なる音声で行ってもよい。
【００４８】
図５は、第３の実施形態による音声案内装置1の動作例を示す模式図である。例えば、図５に示すように、制御部11は、スピーカ21による言語Ａの音声アナウンスと、スピーカ22による言語Ｂの音声アナウンスとを同時に行わせるように各スピーカ21,22を制御してもよい。
【００４９】
第３の実施形態によれば、互いに異なる指向性を有するスピーカ21,22によって互いに異なる言語での音声アナウンスを同時に行うことで、エレベータの運行効率を下げずに、左右の耳で受け取る音量を異ならせて利用者2の位置に影響されないより聞き取り易い音声アナウンスを行うことができる。
【００５０】
（変形例）
図６は、第３の実施形態の変形例による音声案内装置1の動作例を模式図である。
【００５１】
図５では、制御部11が、１つのスピーカ21,22に１つの言語での音声アナウンスを行わせる音声案内装置1の例について説明した。
【００５２】
これに対して、図６に示すように、制御部11は、１つのスピーカ21,22に、順に２以上の言語での音声案内を行わせてもよい。
【００５３】
具体的には、制御部11は、音声アナウンスのメッセージの種類を選択した後に、選択された種類のメッセージを、スピーカ21,22毎に言語が異なるように設定された複数言語のうちの一部の２以上の言語で同時に音声アナウンスするようにスピーカ21,22を制御する（ステップＳ３２１）。
【００５４】
次いで、制御部11は、選択された種類のメッセージを、スピーカ21,22毎に言語が異なるように設定された複数言語のうちの残りの２以上の言語で同時に音声アナウンスするようにスピーカ21,22を制御する（ステップＳ３２２）。
【００５５】
例えば、図６に示すように、制御部11は、スピーカ21による言語Ａの音声アナウンスと、スピーカ22による言語Ｂの音声アナウンスとを同時に行わせた後に、スピーカ21による言語Ｃの音声アナウンスと、スピーカ22による言語Ｄの音声アナウンスとを同時に行わせてもよい。
【００５６】
図６の例によれば、さらに聞き取り易いように複数言語による音声アナウンスを行うことができる。
【００５７】
（第４の実施形態）
次に、言語間で干渉しない音声の組合せを選定して同時アナウンスに用いる第４の実施形態について説明する。
【００５８】
第２の実施形態では、制御部11が、複数言語による音声アナウンスを互いに性別、年齢および声色の少なくとも１つが異なる音声で行うように音声出力部20を制御する音声案内装置1の例について説明した。
【００５９】
これに対して、第４の実施形態において、制御部11は、複数言語の音声として、使用周波数帯、性別、年齢および声色の少なくとも１つが最も干渉しない組み合わせを選定し、選定された組合せの音声による音声アナウンスを行うように、指向性が異なる複数のスピーカ21,22を制御する。
【００６０】
以下、このように構成された第４の実施形態による音声案内装置1の動作例について説明する。
【００６１】
制御部11は、音声アナウンスのメッセージの種類を選択した後に、複数言語でのアナウンス音声として、言語間で、使用周波数帯、性別、年齢および声色の少なくとも１つが最も干渉しない組合せを選定する（ステップＳ４１）。
【００６２】
ここで、使用周波数帯が干渉しない組合せの選定は、例えば、図２に示した各言語のそれぞれの使用周波数帯のうち、音声アナウンスに使用する周波数帯を互いに異ならせることで行ってもよい。あるいは、制御部11にイコライザを搭載し、本来は使用周波数帯域が重なる各言語の音声を、イコライザによって使用周波数帯が重ならないように調整することで、使用周波数帯が干渉しない組合せを選定してもよい。
【００６３】
図７は、第４の実施形態による音声案内装置1の動作例を示す模式図である。
【００６４】
例えば、図７の第１の例に示すように、制御部11は、スピーカ21用のアナウンス音声として、言語Ａ、低周波域、男性の音声を選定し、スピーカ22用のアナウンス音声として、言語Ｂ、高周波域、女性の音声を選定してもよい。
【００６５】
または、図７の第２の例に示すように、制御部11は、スピーカ21用のアナウンス音声として、言語Ａ、低周波域、男性の音声を選定し、スピーカ22用のアナウンス音声として、言語Ｂ、高周波域、女性の音声を選定し、スピーカ23用のアナウンス音声として、言語Ｃ、高周波域、男性の音声を選定し、スピーカ24用のアナウンス音声として、言語Ｄ、低周波域、女性の音声を選定してもよい。
【００６６】
干渉しない音声の組合せを選定した後、制御部11は、選択された種類のメッセージを、選定された組合せの音声を用いて複数言語で同時に音声アナウンスするように各スピーカ21,22を制御する（ステップＳ３３）。
【００６７】
第４の実施形態によれば、干渉しない音声の組合せを選定することで、複数言語での同時アナウンスを各言語の利用者2がより聞き取り易いように行うことができる。
【００６８】
（第５の実施形態）
次に、カメラで検出された利用者に応じて言語および指向性を調整する第５の実施形態について説明する。
【００６９】
図８は、第５の実施形態による音声案内装置1を示す模式図である。第３の実施形態では、音声出力部20のスピーカ21,22に、予め固定された互いに異なる指向性が設定されている音声案内装置1の例について説明した。
【００７０】
これに対して、第５の実施形態におけるスピーカ200は、制御部11の制御によって指向性を変更可能である点で、第３の実施形態のスピーカ21,22とは異なっている。
【００７１】
また、図８に示すように、第５の実施形態における音声案内装置1は、制御部11に加えて、更に、データベース12を備えている。データベース12は、例えば、制御部11とともに、エレベータ制御装置に組み込まれている。データベース12は、制御部11とネットワークを通じて通信可能な状態でエレベータ制御装置の外部のサーバに備えられていてもよい。
【００７２】
データベース12には、利用者の特徴を示す特徴情報と、利用者の言語とが対応付けて登録されている。図８の例において、特徴情報は、予め登録された利用者の顔画像である。特徴情報は、顔画像以外の利用者の生体情報であってもよい。
【００７３】
制御部11は、データベース12に基づいて、かご室32内に設置されたカメラ6で検出された利用者2が、データベース12に登録されているか否かを判定する。カメラ6で検出された利用者2がデータベース12に登録されている場合、制御部11は、検出された利用者2の言語による音声アナウンスを検出された利用者2の位置に向けた指向性で行うようにスピーカ200を制御する。
【００７４】
具体的には、制御部11は、検出された利用者2の位置を向くようにスピーカ200の指向性を調整したうえで、検出された利用者2の言語に対応する音声案内データをスピーカ200に出力する。なお、図８において、スピーカ200と利用者2との間に図示された矢印は、利用者2の位置に向けて調整されたスピーカ200の指向性を示している。
【００７５】
以下、このように構成された第５の実施形態による音声案内装置1の動作例について説明する。
【００７６】
制御部11は、音声アナウンスのメッセージの種類を選択した後に、カメラ6で検出された利用者2がデータベース12に登録されているか否かを判定する（ステップＳ６）。
【００７７】
利用者2が登録されている場合（ステップＳ６：Ｙｅｓ）、制御部11は、音声アナウンスの言語として、利用者2に対応付けてデータベース12に登録された言語を選択する（ステップＳ４２）。
【００７８】
利用者2に対応付けて登録された言語を選択した後、制御部11は、選択された種類のメッセージを、選択された言語を用いてカメラ6で検出された利用者2の位置に向けた指向性で音声アナウンスするようにスピーカ200を制御する（ステップＳ３４）。
【００７９】
一方、利用者2が登録されていない場合（ステップＳ６：Ｎｏ）、制御部11は、第１の実施形態と同様に、選択された種類のメッセージを、使用周波数帯が異なる複数言語で同時に音声アナウンスするように音声出力部20すなわちスピーカ200を制御する（ステップＳ３）。
【００８０】
第５の実施形態によれば、カメラ6で検出された利用者2に応じて言語および指向性を調整することで、利用者2が更に聞き取り易い音声アナウンスを行うことができる。
【００８１】
（変形例）
図９は、第５の実施形態の変形例による音声案内装置1を示す模式図である。図８では、制御部11が、１つのスピーカ200に利用者2に応じた言語および指向性での音声アナウンスを行わせる音声案内装置1の例について説明した。これに対して、図９に示すように、制御部11は、複数のスピーカ200A、200Bに、カメラ6で検出された複数の利用者2のそれぞれに応じた言語および指向性で音声アナウンスを行わせてもよい。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
1  音声案内装置、10  エレベータ、11  制御部、20  音声出力部、21  スピーカ、22  スピーカ、  3  かご
【図１】
2019151447.tif 000003
【図２】
2019151447.tif 000004
【図３】
2019151447.tif 000005
【図４】
2019151447.tif 000006
【図５】
2019151447.tif 000007
【図６】
2019151447.tif 000008
【図７】
2019151447.tif 000009
【図８】
2019151447.tif 000010
【図９】
2019151447.tif 000011
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
エレベータの乗場又はかご室内に設けられた音声出力部を制御して、前記音声出力部に複数言語によるアナウンスを同時に行わせる制御部を備え、
前記制御部は、前記複数言語によるアナウンスを互いに使用周波数帯が異なる音声で行うように前記音声出力部を制御し、
前記音声出力部は、互いに指向性が異なる複数のスピーカを有し、
前記制御部は、前記複数言語によるアナウンスの音声として、使用周波数帯、性別、年齢および声色の少なくとも１つが最も干渉しない組み合わせを選定し、選定された組合せの音声によるアナウンスを行うように前記複数のスピーカを制御するエレベータの音声案内装置。
【請求項２】
エレベータの乗場又はかご室内に設けられた音声出力部を制御して、前記音声出力部に複数言語によるアナウンスを同時に行わせる制御部を備え、
前記制御部は、前記複数言語によるアナウンスを互いに性別、年齢および声色の少なくとも１つが異なる音声で行うように前記音声出力部を制御し、
前記音声出力部は、互いに指向性が異なる複数のスピーカを有し、
前記制御部は、前記複数言語によるアナウンスの音声として、使用周波数帯、性別、年齢および声色の少なくとも１つが最も干渉しない組み合わせを選定し、選定された組合せの音声によるアナウンスを行うように前記複数のスピーカを制御するエレベータの音声案内装置。
【請求項３】
前記制御部は、前記複数言語のうちの互いに異なる言語によるアナウンスを行うように前記複数のスピーカを制御する請求項１又は２に記載のエレベータの音声案内装置。